(57)【要約】【課題】操作機構の点検を短時間で容易にし得るスイッチギヤを提供する。【解決手段】箱体１内の背面側に設けられるケーブル端開閉部１ａと、前記箱体１の背面側と正面側との間の中央部に設けられる遮断器開閉部１ｂと、前記箱体の正面側に設けられる２重母線２５、２６を構成する母線開閉部１ｃとから構成されるスイッチギヤにおいて、前記遮断器開閉部１ａを前記箱体１の上段の遮断部１ｂ１、下段の前記遮断部１ｂ１を開閉する遮断操作部１ｂ２に構成し、前記母線開閉部１ｃを前記箱体１の上段の２重母線２５、２６の母線部１ｃ１、中段の前記母線部１ｃ１の電源を切替える母線操作部１ｃ２、および下段の点検スペース部１ｃ３に構成し、前記遮断操作部１ｂ２と前記点検スペース部１ｃ３とを連接した操作機構室１ｚ２内に収納したことを特徴とする。【選択図】  図１
2005006483.tif 000002
【特許請求の範囲】
【請求項１】
箱体内の背面側に設けられるケーブル端開閉部と、
前記箱体の背面側と正面側との間の中央部に設けられる遮断器開閉部と、
前記箱体の正面側に設けられる２重母線を構成する母線開閉部とから構成されるスイッチギヤにおいて、
前記遮断器開閉部を前記箱体の上段に形成した少なくとも遮断器を収納した遮断部、および下段に形成した前記遮断器を開閉する操作機構部を収納した遮断操作部として構成し、
前記母線開閉部を前記箱体の上段に形成した２重母線およびこの２重母線の電源を切替える少なくともそれぞれの断路器を収納した母線部、中段に形成した前記それぞれの断路器を開閉するそれぞれの操作機構部を収納した母線操作部、および下段に形成した点検スペース部として構成してなり、
前記遮断操作部下段と前記母線開閉部下段の点検スペース部とを連接するとともに、点検スペース部を前記操作機構部の外形形状よりも同等以上のスペースを有するようにしたことを特徴とするスイッチギヤ。
【請求項２】
前記母線部の２重母線の電源を切替える前記それぞれの断路器を、前記箱体の奥行き方向、または幅方向のいずれか一方向に平行して並べて配置したことを特徴とする請求項１に記載のスイッチギヤ。
【請求項３】
前記ケーブル端開閉部は、主回路のケーブルと前記ケーブルの主回路端を接地する接地開閉器のうち、少なくとも前記ケーブルを備えたことを特徴とする請求項１または請求項２に記載のスイッチギヤ。
【請求項４】
前記遮断器開閉部は、主回路を遮断する遮断器、主回路を断路する断路器および主回路を接地する接地開閉器を備えたことを特徴とする請求項１または請求項２に記載のスイッチギヤ。
【請求項５】
前記母線開閉部は、２重母線の電源を切替える断路器および共通の主回路を接地する接地開閉器を備えたことを特徴とする請求項１または請求項２に記載のスイッチギヤ。
【発明の詳細な説明】
【０００１】
【発明の属する技術分野】
本発明は、２重母線を収納するスイッチギヤに係り、開閉器の操作機構の点検作業を容易にし得るスイッチギヤに関する。
【０００２】
【従来の技術】
従来の２重母線を収納するスイッチギヤに、遮断器、断路器および接地開閉器のような開閉器を固体絶縁物でモールドし、これらを相互接続してコンパクト化を図るとともに、電力の安定供給化を図っているものがある（例えば、特許文献１参照。）。
【０００３】
この種のスイッチギヤの内部構成を示す図５において、箱体１内は、背面側のケーブル端開閉部１ａ、中央部の遮断器開閉部１ｂ、正面側の母線開閉部１ｃに分かれて構成されている。
【０００４】
ケーブル端開閉部１ａには、変流器２を貫通した受電のケーブル３、このケーブル３が接続されるケーブルヘッド４、および接離自在の一対の接点を有する真空バルブ５をモールドして構成した受電用接地開閉器６が配置されている。また、受電用接地開閉器６には、受電用操作機構７が連結され真空バルブ５内の接点の開閉が行われるようになっている。
【０００５】
遮断器開閉部１ｂは、更に上段の主回路部１ｂ１と下段の遮断操作部１ｂ２とに盤壁８ａで分かれて構成されている。
【０００６】
主回路部１ｂ１には、真空バルブ９をモールドして構成した遮断部１０が配置され、遮断部１０の一方の主回路端がケーブルヘッド４に接続され、また、他方の主回路端が真空バルブ９の可動軸１１が摺動自在に貫通して導体１２と接続されている。この導体１２を貫通した可動軸１１端には、絶縁操作ロッド１３が連結されている。なお、遮断部１０の天井側には、避雷器１４が設けられている。
【０００７】
遮断操作部１ｂ２には、絶縁操作ロッド１３を介して盤壁８ａを移動自在に貫通する連結棒に連結された遮断器用操作機構１５が配置され、真空バルブ９内の接点の開閉が行われるようになっている。
【０００８】
一方、母線開閉部１ｃも、上段の母線部１ｃ１と下段の母線操作部１ｃ２とに盤壁８ａに連接された盤壁８ｂで分かれて構成されている。
【０００９】
母線部１ｃ１には、２つの真空バルブ１６、１７を平行に配置してモールドして構成した断路部１８が配置されている。そして、互いの一方の主回路端は、真空バルブ１６、１７の可動軸１９、２０が導体２１を摺動自在に貫通して接続されている。この導体２１は、中心導体２２ａの周囲をモールドして構成した絶縁導体２２を介して、遮断操作部１ｂ２の導体１２と接続されている。また、導体２１を貫通した可動軸１９、２０端には、それぞれ絶縁操作ロッド２３、２４が連結されている。
【００１０】
断路部１８のそれぞれの他方の主回路端には、２つの真空バルブ１６、１７に対応して第１の母線２５および第２の母線２６が接続され、２重母線を構成している。この第１の母線２５および第２の母線２６を介して、隣接する図示しない負荷側の盤への接続が行われる。
【００１１】
母線操作部１ｃ２には、絶縁操作ロッド２３、２４を介して盤壁８ｂを移動自在に貫通する連結棒に連結された断路器用操作機構２７、２８が配置され、断路部１８の開閉が行われるようになっている。また、断路器用操作機構２７と２８との間には、母線接地用操作機構２９が設けられ、移動自在の接地棒３０を図示上方へ直線移動させて導体２１に接触させて導体２１を接地させるようになっている。
【００１２】
ここで、遮断器用操作機構１５、断路器用操作機構２７、２８、および母線接地用操作機構２９は、盤壁８ａ、８ｂと箱体１の底面板間で構成される操作機構室１ｘ２内に収納されている。
【００１３】
このような２重母線を収納したスイッチギヤは、通常運転時には第１の母線２５を使用し、第２の母線２６は切り離している。そして、第１の母線２５の点検時などには、第１の母線２５を切り離し、第２の母線２６を使用して負荷側への電力供給の安定を図っている。
【００１４】
【特許文献１】
特開２００２−１５２９３０号公報（第１５頁、図２５）
【００１５】
【発明が解決しようとする課題】
上記の従来のスイッチギヤにおいては、以下のような問題がある。
【００１６】
遮断操作部１ｂ２の遮断器用操作機構１５、母線操作部１ｃ２の断路器用操作機構２７、２８、および母線接地用操作機構２９が箱体１の下段の操作機構室１ｘ２内に収納されているので、箱体１内の下段中央部に配置されている遮断器用操作機構１５の点検時に多大の時間を要していた。
【００１７】
即ち、遮断器用操作機構１５を点検する場合には、箱体１の正面側に配置されている断路器用操作機構２７、２８および母線接地用操作機構２９を箱体１外に一旦取外すか、または背面側の変流器２などを取外して行わなければならなかった。
【００１８】
従って、本発明は、操作機構の点検作業を容易にし得るスイッチギヤを提供することを目的とする。
【００１９】
【課題を解決するための手段】
上記目的を達成するために、本発明のスイッチギヤは、箱体内の背面側に設けられるケーブル端開閉部と、前記箱体の背面側と正面側との間の中央部に設けられる遮断器開閉部と、前記箱体の正面側に設けられる２重母線を構成する母線開閉部とから構成されるスイッチギヤにおいて、前記遮断器開閉部を前記箱体の上段に形成した少なくとも遮断器を収納した遮断部、および下段に形成した前記遮断器を開閉する操作機構部を収納した遮断操作部として構成し、前記母線開閉部を前記箱体の上段に形成した２重母線およびこの２重母線の電源を切替える少なくともそれぞれの断路器を収納した母線部、中段に形成した前記それぞれの断路器を開閉するそれぞれの操作機構部を収納した母線操作部、および下段に形成した点検スペース部として構成してなり、前記遮断操作部下段と前記母線開閉部下段の点検スペース部とを連接するとともに、点検スペース部を前記操作機構部の外形形状よりも同等以上のスペースを有するようにしたことを特徴とする。
【００２０】
このような構成によれば、箱体の中央部の下段に設置される操作機構部を箱体の正面側から点検することができるので、点検作業を短時間で容易にし得ることができる。
【００２１】
【発明の実施の形態】
（第１の実施の形態）
先ず、本発明の第１の実施の形態を図１および図２を参照して説明する。図１は、本発明の第１の実施の形態に係るスイッチギヤの内部構成を一部断面して示す側面図、図２は、本発明の第１の実施の形態に係る図１のスイッチギヤの電源系統を示す単線結線図である。なお、各図において、従来と同様の構成部分については、同一符号を付した。
【００２２】
図１、図２に示すように、箱体１内は、背面側から正面側に向かって受電側のケーブル端開閉部１ａ、中央部の遮断器開閉部１ｂ、負荷側となる正面側の母線開閉部１ｃに分かれて構成されている。
【００２３】
ケーブル端開閉部１ａには、箱体１の底面側から天井側に向かって変流器（ＣＴ）２を貫通したケーブル３、このケーブル３が接続されるケーブルヘッド（ＣＨ）４、およびケーブルヘッド４の主回路端に接続される接離自在の一対の接点を有する真空バルブ５をモールドして構成した受電用接地開閉器（ＥＳ１）６が配置されている。また、受電用接地開閉器６の天井側には、受電用操作機構７が連結され真空バルブ５内の接点の開閉を行い、主回路の接地が行われるようになっている。
【００２４】
遮断器開閉部１ｂは、更に上段の主回路部１ｂ１と下段の遮断操作部１ｂ２とに盤壁５１ａで仕切られて構成されている。
【００２５】
主回路部１ｂ１には、真空バルブ５と同様の真空バルブ５２をモールドして構成した第１の断路部（ＤＳ１）５３と、真空バルブ５と同様の真空バルブ５４をモールドして構成した遮断部（ＣＢ）５５とが平行に配置され構成されている。そして、第１の断路部５３の一方の主回路端がケーブルヘッド４の主回路端に接続されている。
【００２６】
また、第１の断路部５３の他方の主回路端と遮断部５５の一方の主回路端間は、それぞれの真空バルブ５２、５４の可動軸５６、５７が摺動自在に貫通する第１の連結導体５８をモールドして構成した第１の連結導体部５９で接続されている。この第１の連結導体５８を摺動自在に貫通した可動軸５６、５７端には、絶縁操作ロッド６０、６１が、一方端が筒状に開放された第１の連結導体部５９の空間部５９ａ内にそれぞれ連結配置されている。この空間部５９ａ端は、前記盤壁５１ａに固定されている。
【００２７】
また、遮断部５５の他方の主回路端には、天井側に向かって導体の周囲をモールドしたＩ字状のアダプタ導体６２を介して、導体の周囲をモールドしたＵ字状の接続導体６３がそれぞれ接続されている。このアダプタ導体６２は、母線開閉部１ｃの主回路を天井側に持ち上げるために用いられる。なお、第１の断路部５３の天井側には、変成器（ＶＴ）６４が設けられている。
【００２８】
遮断操作部１ｂ２には、絶縁操作ロッド６０、６１を介して盤壁５１ａを移動自在に貫通する連結棒に連結された電源用操作機構部６５が配置されている。
【００２９】
この電源用操作機構部６５は、第１の断路部５３に連結された例えば電磁ソレノイド機構からなる断路器用操作機構６６、遮断部５５に連結された例えば電磁ソレノイド機構からなる遮断器用操作機構６７、および例えばスライダクランク機構からなる電源接地用操作機構６８で構成されている。そして、断路器用操作機構６６および遮断器用操作機構６７で真空バルブ５２、５４内の接点の開閉が行われるようになっている。
【００３０】
電源接地用操作機構６８には、移動自在の接地棒６９が設けられ、前記空間部５９ａ内を直線移動させて第１の連結導体５８と接触するようになっている。これにより、第１の連結導体５８を接地する第２の接地開閉器（ＥＳ２）が構成されている。
【００３１】
一方、母線開閉部１ｃも、上段の母線部１ｃ１と中段の母線操作部１ｃ２とが盤壁７０で仕切られ、また、母線操作部１ｃ２と下段の点検スペース部１ｃ３とが遮断開閉部１ｂの盤壁５１ａと連接された盤壁５１ｂで仕切られて構成されている。
【００３２】
母線部１ｃ１には、真空バルブ５と同様の真空バルブ７１をモールドして構成した第２の断路部（ＤＳ２）７２と、真空バルブ５と同様の真空バルブ７３をモールドして構成した第３の断路部（ＤＳ３）７４とが、箱体１の正面側から背面側の方向、即ち、奥行き方向と平行して並んで配置され構成されている。
【００３３】
第２の断路部７２と第３の断路部７４の互いの一方の主回路端間は、それぞれの真空バルブ７１、７３の可動軸７５、７６が摺動自在に貫通する第２の連結導体７７をモールドして構成した第２の連結導体部７８で接続されている。この第２の連結導体７７を摺動自在に貫通した可動軸７５、７６端には、絶縁操作ロッド７９、８０が、一方端が筒状に開放された第２の連結導体部７８の空間部７８ａ内に連結配置されている。この空間部７８ａ端は、盤壁７０に固定されている。また、第２の連結導体７７には、接続導体６３の中心導体８１端部が接続されている。
【００３４】
そして、第２の断路部７２と第３の断路部７４のそれぞれの他方の主回路端には、導体２５ａ、２６ａをモールドして構成した第１の母線（Ｂ１）２５および第２の母線（Ｂ２）２６が、それぞれ導体２５ａ、２６ａを背面側に向けて接続され、２重母線を構成している。通常運転時には、第２の断路部７２を閉路して第１の母線２５が使用され、第３の断路部７４を開路して第２の母線２６を切り離している。そして、第１の母線２５の点検時などには、第２の断路部７２を開路して第１の母線２５を切り離し、第３の断路部７４を閉路して第２の母線２６を使用する。即ち、第１の母線２５および第２の母線２６を切替えて隣接する図示しない負荷側の盤への電力供給の安定を図っている。
【００３５】
母線操作部１ｃ２には、絶縁操作ロッド７９、８０を介して盤壁７０を移動自在に貫通する連結棒に連結された母線用操作機構部８２が配置されている。この母線用操作機構部８２は、例えば電磁ソレノイド機構からなる断路器用操作機構８３、８４、例えばスライダクランク機構からなる母線接地用操作機構８５で構成されている。そして、この断路器用操作機構８３、８４で真空バルブ７１、７３内の接点の開閉が行われるようになっている。
【００３６】
母線接地用操作機構８５には、移動自在の接地棒８６が設けられ、前記空間部７８ａ内を直線移動させて第２の連結導体７７と接触するようになっている。これにより、第１の母線２５と第２の母線２６との共通の主回路となる第２の連結導体７７を接地する第３の接地開閉器（ＥＳ３）が構成されている。
【００３７】
点検スペース部１ｃ３は、電源用操作機構部６５を点検をするための治具などを持ち込むスペース８７があり、更に、電源用操作機構部６５の外形形状と同等以上のスペース８７を有しており、電源用操作機構部６５を箱体１外へ取出せるようになっている。ここで、点検スペース部１ｃ３および遮断操作部１ｂ２の電源用操作機構部６５は、盤壁５１ａ、５１ｂと箱体１の底面板間で構成される下段の操作機構室１ｚ２内に収納されることとなる。
【００３８】
上記第１の実施の形態のスイッチギヤによれば、遮断操作部１ｂ２の電源用操作機構部６５の点検を、箱体１下段の正面側から点検スペース部１ｃ３を介して行うことができ、また、母線用操作機構部８２も箱体１中段の正面側から行うことができる。更に、電源用操作機構部６５および母線用操作機構部８２を正面側から箱体１外に取出すこともできる。このため、これらの操作機構部６５、８２の点検作業を短時間で容易にし得ることができる。
【００３９】
（第２の実施の形態）
次に、本発明の第２の実施の形態を図２乃至図４を参照して説明する。図２は、本発明の第２の実施の形態に係るスイッチギヤの電源系統を示す単線結線図、図３は、本発明の第２の実施の形態に係るスイッチギヤの内部構成を一部断面して示す側面図、図４は、本発明の第２の実施の形態に係るスイッチギヤの内部構成の三相分のうちの一相分を一部断面して示す拡大正面図である。
【００４０】
なお、この第２の実施の形態が、第１の実施の形態と異なる点は、２重母線が配置される母線開閉部の構成である。各図において、第１の実施の形態と同様の構成部分については同一符号を付し、その詳細な説明を省略する。
【００４１】
図２、図３に示すように、箱体１の正面側に構成された母線開閉部１ｃは、上段の母線部１ｃ１と中段の母線操作部１ｃ２とが盤壁７０で仕切られ、更に、この母線操作部１ｃ２と下段の点検スペース部１ｃ３とが盤壁５１ｂで仕切られて構成されている。
【００４２】
母線部１ｃ１には、真空バルブ７１、７３をモールドして構成した第２の断路部（ＤＳ２）７２および第３の断路部（ＤＳ３）７４が紙面前後方向に並んで配置され構成されている。即ち、図４に示すように、互いの断路部７２、７４は、正面側であって、箱体１の幅方向と平行して並んで配置されている。
【００４３】
そして、第２の断路部７２と第３の断路部７４とのそれぞれの一方の主回路端には、導体２５ａ、２６ａをモールドして構成した第１の母線（Ｂ１）２５および第２の母線（Ｂ２）２６が、一方の導体２５ａを背面側、他方の導体２６ａを正面側に向けて接続され、２重母線を構成している。
【００４４】
第２の断路部７２と第３の断路部７４との互いの他方の主回路端間は、可動軸７５、７６が摺動自在に貫通する第３の連結導体１００をモールドして構成した第３の連結導体部１０１で接続されている。この第３の連結導体１００を摺動自在に貫通した可動軸７５、７６端には、絶縁操作ロッド７９、８０が、一方端を筒状に開放した第３の連結導体部１０１の空間部１０１ａ内に連結配置されている。この空間部１０１ａ端は、盤壁７０に固定されている。また、第３の連結導体１００には、接続導体６３の中心導体８１端部が接続されている。
【００４５】
母線操作部１ｃ２には、絶縁操作ロッド７９、８０を介して盤壁７０を移動自在に貫通する連結棒に連結された母線用操作機構部１０２が配置されている。この母線用操作機構部１０２は、断路器用操作機構８３、８４および母線接地用操作機構８５で構成されている。そして、それぞれの断路器用操作機構８３、８４は、第２の断路部７２、第３の断路部７４の直線上に配置されている。即ち、図４に示すように、これらの断路器用操作機構８３、８４も第２の断路部７２、第３の断路部７４と同様に、箱体１の幅方向に平行して並んで配置されており、真空バルブ７１、７３内の接点の開閉が行われるようになっている。
【００４６】
母線接地用操作機構８５には、移動自在の接地棒８６が設けられ、前記空間部１０１ａ内を直線移動させて第３の連結導体１００と接触するようになっている。これにより、第１の母線２５と第２の母線２６との共通の主回路となる第３の連結導体１００を接地する第３の接地開閉器（ＥＳ３）が構成されている。
【００４７】
上記第２の実施の形態のスイッチギヤによれば、第１の実施の形態による効果の他に、母線開閉部１ｃの正面側から背面側までの寸法、即ち、箱体１の奥行き寸法を縮小化することができる。
【００４８】
なお、本発明は、上記実施の形態に限定されるものではなく、発明の要旨を逸脱しない範囲で、種々変形して実施することができる。本発明の実施の形態では、ケーブル端開閉部１ａを受電側で説明したが、受電側と負荷側を逆にして、母線開閉部１ｃの２重母線を受電側とし、ケーブル端開閉部１ａを他の電気機器を運転する負荷側として用いてもよい。これにより、どちらか一方の２重母線で受電し、負荷側への電力供給の安定を図ることができる。
【００４９】
また、ケーブル端開閉部１ａの受電用接地開閉器（ＥＳ１）６、更には遮断開閉部１ｂの第１の断路部（ＤＳ１）５３、第２の接地開閉器（ＥＳ２）、および母線開閉部１ｃの第３の接地開閉器（ＥＳ３）などのいずれか、またはこれらの全てを省略し、電力系統を簡素化したスイッチギヤにも用いることができる。
【００５０】
【発明の効果】
以上述べたように、本発明によれば、箱体の中央部の下段に設置される操作機構部を箱体の正面側から点検することができるので、点検作業を短時間で容易にし得ることができる。
【図面の簡単な説明】
【図１】本発明の第１の実施の形態に係るスイッチギヤの内部構成を一部断面して示す側面図。
【図２】本発明の第１および第２の実施の形態に係るスイッチギヤの電源系統を示す単線結線図。
【図３】本発明の第２の実施の形態に係るスイッチギヤの内部構成を一部断面して示す側面図。
【図４】本発明の第２の実施の形態に係るスイッチギヤの内部構成の三相分のうちの一相分を一部断面して示す拡大正面図。
【図５】従来のスイッチギヤの内部構成を一部断面して示す側面図。
【符号の説明】
１  箱体
１ａ  ケーブル端開閉部
１ｂ  遮断器開閉部
１ｂ１  主回路部
１ｂ２  遮断操作部
１ｃ  母線開閉部
１ｃ１  母線部
１ｃ２  母線操作部
１ｃ３  点検スペース部
１ｘ２、１ｚ２  操作機構室
２  変流器
３  ケーブル
４  ケーブルヘッド
５、１６、１７、５２、５４、７１、７３  真空バルブ
６  受電用接地開閉器
７  受電用操作機構
８ａ、８ｂ、５１ａ、５１ｂ、７０  盤壁
９  真空バルブ
１０  遮断部
１１、１９、２０、５６、５７、７５、７６  可動軸
１２、２１、２５ａ、２６ａ  導体
１３、２３、２４、６０、６１、７９、８０  絶縁操作ロッド
１４  避雷器
１５、６７  遮断器用操作機構
１８  断路部
２２  絶縁導体
２２ａ、８１  中心導体
２５  第１の母線
２６  第２の母線
２７、２８、６６、８３、８４  断路器用操作機構
２９、８５  母線接地用操作機構
３０、６９、８６  接地棒
５３  第１の断路部
５５  遮断部
５８  第１の連結導体
５９  第１の連結導体部
５９ａ、７８ａ、１０１ａ  空間部
６２  アダプタ導体
６３  接続導体
６４  変成器
６５  電源用操作機構部
６８  電源接地用操作機構
７２  第２の断路部
７４  第３の断路部
７７  第２の連結導体
７８  第２の連結導体部
８２、１０２  母線用操作機構部
８７  スペース
１００  第３の連結導体
１０１  第３の連結導体部
【図１】
2005006483.tif 000003
【図２】
2005006483.tif 000004
【図３】
2005006483.tif 000005
【図４】
2005006483.tif 000006
【図５】
2005006483.tif 000007